(57)【要約】【課題】同種の装飾品、家具などの構造物であってもそれぞれに個性的でオリジナリティーのある表情を実現させる装飾金具を提供するにある。【解決手段】構造物１は装飾金具２ａ〜２ｒからなる一組の装飾金具３により装飾されている。この一組の装飾金具３は、処理前金具４ａ〜４ｒをいっぺんに略同一加熱条件で加熱して高温状態にするとともにいっぺんに略同一急冷却条件で水により急冷却をすることにより、略類似する色彩模様７ａ〜７ｒを装飾金具本体の表面に形成してなる装飾金具２ａ〜２ｒからなっている。【選択図】　図１
2004122570.tif 000002
【特許請求の範囲】
【請求項１】
指輪用金属製部品、イヤリング用金属製部品、ブローチ用金属製部品、金属製食器、家具の装飾金具、金属製工芸品、金属製美術品などの何らかの意匠的形態に形成されたあるいは意匠形態に形成される意匠形態金属製部材本体と、この意匠形態金属製部材本体を高温状態にして急冷却することにより該意匠形態金属製部材本体の表面に形成された色彩模様とからなることを特徴とする意匠形態金属製部材。
【請求項２】
意匠形態金属製部材本体に金属や無機物などの模様形成補助部材を載せた状態で加熱し、前記模様形成補助部材を全部ないし一部を載せたままあるいは全部落として急冷却して前記装飾金具本体あるいは非装飾形態部材表面に色彩模様を形成するようにしてなることを特徴とする請求項項１記載の意匠形態金属性部材。
【請求項３】
意匠形態金属製部材本体の表面に、粉を含む無機物などを混ぜたりあるいは混ぜていない糊製部材などの付着補助部材で模様などを描き、その状態で加熱し急冷却して色彩模様を形成するようにしてなることを特徴とする請求項１、２いずれか記載の意匠形態金属性部材。
【請求項４】
意匠形態金属製部材本体の表面に、粉を含む無機物や有機物などを混ぜたりあるいは混ぜていない糊製部材などの付着補助部材で模様などを描き、それに粉を含む金属粒、他の無機物粒、有機物粒などを付着させ、加熱し急冷却することにより色彩模様を形成するようにしてなることを特長とする請求項項１、２、３いずれか記載の意匠形態金属製部材。
【請求項５】
装飾金具本体、この装飾金具本体を高温状態にして急冷却することにより該装飾金具本体の表面に形成された色彩模様とからなる装飾金具と、額縁、仏壇、手摺、フェンス、建築物の室内、建築物の外部、家具、一組の家具などの個々の構造物用に形成されあるいは選ばれて該構造物に取付けられる、前記色彩模様が同一ではないが類似感あるいは何らかの統一感を形成してなる複数個の前記装飾金具とからなることを特徴とする一組の装飾金具。
【請求項６】
一組の装飾金具を構成する装飾金具をいっぺんに略同一加熱条件で加熱して高温状態にするとともに、いっぺんに略同一急冷却条件で急冷却することにより色彩模様に形成してなることを特徴とする請求項５記載の一組の装飾金具。
【請求項７】
板材などの非装飾形態部材を加熱、急冷却して該非装飾携帯部材に色彩模様を形成した状態にして、所定の装飾金具形態に打ち抜いたり切り抜いて色彩模様を有する装飾金具を形成するようにしてなることを特徴とする請求項５、６いずれか記載の一組の装飾金具。
【請求項８】
色彩模様が、装飾金具本体が高温状態において布製部材、布形成部材、紙製部材、紙形成材、木の葉部材、草部材などやこれらの綿状部材、繊維状部材、チップ状部材、粉状部材などの焦付性模様形成部材を接触させて、前記高温により燃焼したり焦げたりして生成された燃焼物や焦物が前記装飾金具本体表面に付着さて急冷却することにより形成されたものであることを特徴とする請求項５〜７いずれか記載の一組の装飾金具。
【請求項９】
色彩模様が、装飾金具本体が高温状態において金属製部材やガラス製部材などからなる無機物箔部材、金属製部材やガラス製部材などからなる無機物極細部材、金属製部材やガラス製部材などからなる無機物微粉末部材などの無機物製模様形成部材を接触させて、前記高温により該無機物製模様形成部材を略溶融状態を含む付着可能状態にして表面に前記無機物製模様形成部材を付着さて急冷却することにより形成されたものであることを特徴とする請求項５〜８いずれか記載の一組の装飾具。
【請求項１０】
急冷却がドライアイス剤による急冷却であるあることを特徴とする請求項５〜９いずれか記載の一組の装飾金具。
【請求項１１】
装飾金具本体あるいは非装飾形態部材が加熱前に多数の凸部を塑性変形により設けてなるものであることを特徴とする５〜１０いずれか記載の一組の装飾金具。
【請求項１２】
装飾金具本体あるいは非装飾形態部材に金属や無機物などの模様形成補助部材を載せた状態で加熱し、前記模様形成補助部材を全部ないし一部を載せたままあるいは全部落として急冷却して前記装飾金具本体あるいは非装飾形態部材表面に色彩模様を形成するようにしてなることを特徴とする５〜１１いずれか記載の一組の装飾金具。
【請求項１３】
装飾金具本体あるいは非装飾形態部材の表面に、粉を含む無機物などを混ぜたりあるいは混ぜていない糊製部材などの付着補助部材で模様などを描き、その状態で加熱し急冷却して色彩模様を形成するようにしてなることを特徴とする請求項項５〜１２いずれか記載の一組の装飾金具。
【請求項１４】
装飾金具本体あるいは非装飾形態部材の表面に、粉を含む無機物などを混ぜたりあるいは混ぜていない糊製部材などの付着補助部材で模様などを描き、それに粉を含む金属粒、他の無機物、有機物などを付着させ、加熱し急冷却することにより色彩模様を形成するようにしてなることを特長とする
請求項項５〜１３いずれか記載の一組の装飾金具。
【請求項１５】
請求項５〜１４いずれか記載の一組の装飾金具で装飾してなる額縁、仏壇、手摺、フェンス、建築物の室内や外部、家具、一組の家具などからなることを特徴とする装飾金具付構造物。
【発明の詳細な説明】
【０００１】
【発明の属する技術分野】
本発明は指輪用金属製部品、イヤリング用金属製部品、ブローチ用金属製部品、金属製食器や食器台、家具の装飾金具、金属製工芸品、金属製美術品などの何らかの意匠的形態に形成された意匠形態金属製部材ないし額縁、仏壇、手摺、フェンス、建築物の室内、建築物の外部、家具、一組の家具などの構造物に取付けられる一組の装飾金具および装飾金具付構造物に関する。
【０００２】
【従来技術】
従来、指輪用金属製部品、イヤリング用金属製部品、ブローチ用金属製部品、金属製食器、家具の装飾金具、金属製工芸品、金属製美術品などの何らかの意匠的形態に形成された意匠形態金属製部材は金属製部材本体全体が同色彩同模様からなるものであった。
また額縁、仏壇、家具などの構造物には取手、蝶番、縁飾りなどの金属製の装飾金具本体全体が同色彩同模様からなる一組の装飾金具が取付けられアクセント的な美感を得ていることが知られている。
【０００３】
【発明が解決しようとする課題】
前述した従来技術は、金属製部材本体が同色彩同模様であるため、色彩感と模様感に欠け、個性感・オリジナリティーや深みが乏しいために、表情をどれも同じようで平面的な感じの単調で面白みのないものにしてしまうというい欠点があった。
【０００４】
本発明は以上のような従来技術の欠点に鑑み、同じ意匠形態金属製部材で色彩模様を形成する処理を同じにしても、その色彩模様が同じではない個性を有する意匠形態金属製部材を提供するにある。
また本発明の他の目的は、同じ家具などの構造物であってもそれぞれに個性的でオリジナリティーのある表情を実現させる複数の装飾金具からなる一組の装飾金具およびその一組の装飾金具で装飾した装飾金具付構造物を提供するにある。
【０００５】
本発明の前記並びにそのほかの新規な特徴は次の説明を添付図面と照らし合わせて読むと、より完全に明らかになるであろう。
ただし、図面はもっぱら解説のためであって、本発明の技術的範囲を限定するものではない。
【０００６】
【課題を解決するための手段】
上記目的を達成するために、指輪用金属製部品、イヤリング用金属製部品、ブローチ用金属製部品、金属製食器、家具の装飾金具、金属製工芸品、金属製美術品などの何らかの意匠的形態に形成されたされたあるいは意匠形態に形成される意匠形態金属製部材本体と、この意匠形態金属製部材本体を高温状態にして急冷却することにより該意匠形態金属製部材本体の表面に形成された色彩模様とで意匠形態金属製部材を構成している。
【０００７】
また、装飾金具本体、この装飾金具本体を高温状態にして急冷却することにより該装飾金具本体の表面に形成された色彩模様とからなる装飾金具と、額縁、仏壇、手摺、フェンス、建築物の室内、建築物の外部、家具、一組の家具などの個々の構造物用に形成されあるいは選ばれて該構造物に取付けられる、前記色彩模様が同一ではないが類似感あるいは何らかの統一感を形成してなる複数個の前記装飾金具とで一組の装飾金具を構成している。
【０００８】
また、高温状態にするとともに急冷却して装飾金具本体表面に同一ではないが何らかの類似感や何らかの統一感を与える一組の装飾金具で装飾してなる飾金具付構造物を構成している。
【０００９】
【発明の実施の形態】
以下、図面に示す実施の形態により、本発明を詳細に説明する。
【００１０】
図１および図２に示す本発明の第１の実施の形態において１は木製家具からなる装飾金具付構造物であって、この装飾金具付構造物１は装飾金具２ａ〜２ｒからなる一組の装飾金具３が取り付けられ構造物本体８が装飾されている。この一組の装飾金具３は、処理前金具４ａ〜４ｒを加熱工程（５）で全部いっぺんに略同一加熱条件で加熱して高温状態にするとともに、急冷却工程（６）で全部いっぺんに略同一急冷却条件で水により急冷却をすることにより、略類似する色彩模様７ａ〜７ｒを装飾金具本体の表面に形成してなる装飾金具２ａ〜２ｒからなっている。
【００１１】
一組の装飾金具３の製造は次のように行う。
加熱工程（５）　取手形態、蝶番形態、飾り形態などの装飾形態で、加熱炉で全金具をまとめて全部いっぺんに略同一加熱条件で加熱して高温状態にする。
急冷却工程（６）　高温状態から全金具をまとめて全部いっぺんに温度２５度以下の急冷却水などの急冷却媒体により略同一急冷却条件で急冷却をする。
高温状態の温度条件、急冷却を水、氷水などの急冷却剤の温度条件、急冷却剤を攪拌して、流水にしてなどの急冷却剤の使用条件、装飾金具を急冷却剤に瞬時に全部沈め漬ける、ゆっくり沈める、途中で停止させる行為を行うなど急冷却剤への沈め方などの加熱・急冷却条件により、類似して且つ統一感のある個々に相違する色彩模様が形成された装飾金具からなる一組の装飾金具を、イメージしたものに類似させて形成することができる。
例えば、家具の色、材質、模様、景観、使用目的などにマッチさせたり、何らかのオリジナルな美感を感じさせる色彩模様をイメージして、そのイメージした色彩模様を形成する加熱・急冷却条件で処理することにより、イメージに類似する近い色彩模様を形成することができる。
上記工程による色彩模様は、指輪用金属製部品、イヤリング用金属製部品、ブローチ用金属製部品、ネックレス用金属部品、皿などの金属製食器や食器台、家具の装飾金具、金属製工芸品、金属製美術品などの何らかの意匠的形態に形成された意匠形態金属製部材本体を高温状態にして急冷却することによる、あるいは金属板を加熱急冷却して色彩模様を形成して所定の意匠形態や好みの意匠形態に打抜いたり切り出したりして抜き形成することによる意匠形態金属製部材本体の表面に色彩模様を形成してなる意匠形態金属製部材にも適応させることができるものである。
また、加熱急冷却による色彩模様の形成は、一度の加熱急冷却のみならず、複数回の条件を変えるなどの加熱急冷却や、部分加熱や部分急冷却、水滴などにより部分急冷却を行ってから全体の急冷却を行うなどによりより多様な表情を形成できるものである。
また、例えばぶどうの葉とぶどうの房からなるぶどの意匠形態の金属板などにおいて、ぶどう葉部位とぶどうの房部位の加熱急冷却を条件の違う加熱急冷却条件で加熱急冷却するとか、葉の部位の加熱急冷却を終了してから房の部位の加熱急冷却を別条件で行なうことにより、葉と房の色彩模様が異なり識別できるようなものに形成するなどもよい。
また、金属板を加熱急冷却して色彩模様を形成して、その色彩模様の気に入った部位を適当な意匠形態に打抜いたり切り出したりして意匠形態金属製部材本体を形成するのもよい。
【００１２】
装飾金具本体が銅製部材からなるものは、その溶融手前の高温状態で且つ氷水などの低温という温度差の大きな急冷却であれば、その色彩は鮮明な赤色を形成するようになる。また、急冷却の仕方を急冷却水にいっきに沈めて行き一旦止めさらに沈めて行くというようにすると、一旦止めた部位あたりに色彩の相違する雲のような模様が形成され、全体として雲のある夕焼空を感じさせるなどの模様が形成され、それも沈め速度や急冷却媒体条件により多様な色彩模様形態を得ることが可能である。
装飾金具の支持方法は一つの籠の中に、立て置くようにして並べ置いて、加熱急冷却するとか、吊り下げて加熱急冷却するとかいろいろなやり方がある。
色彩模様が形成された装飾金具の表面に透明樹脂製膜や透明無機製材膜を設けるのもよい。
【００１３】
以上のようにして形成した一組の装飾金具を取付けてなる額縁、仏壇、手摺、フェンス、古色を表現する神社・仏閣をはじめとする建築物、家具、一組の家具などの装飾金具付構造物は、同じ構造形態であるにもかかわらず、一組の装飾金具によりそれぞれ相違する独特の表情を有するもの、感じさせるものとなる。購入者には同じ家具でありながら、二つとはないものを手に入れたという従来では得られない満足を与えることができる。また、幾つかの一組の装飾金具を用意しておき、購入者の希望する一組の装飾金具で装飾して提供できるものである。
一組の装飾金具の形成方法には、多数の装飾金具を作成しその中から類似する色彩模様のものを選んで形成するやり方もある。
【００１４】
【発明の異なる実施の形態】
次に、図３ないし図９に示す本発明の異なる実施の形態につき説明する。これらの発明の異なる実施の形態の説明に当たって、前記本発明の第１の実施の形態と同一構成部分は同一の符号を付して重複する説明を省略する。
【００１５】
図３に示す本発明の第２の実施の形態において前記第１の実施の形態と主に異なる点は、絹や木綿などの糸製部材からなる焦付性模様形成部材９を高温状態の処理前金具４ａ〜４ｒに接触させて、その高温により燃焼したり焦げて生成された燃焼の際に生ずるガスや煙等を含む燃焼物や焦物１０を処理前金具４ａ〜４ｒの装飾金具本体の表面に付着させる燃焼物等付着工程（１１）を行って急冷却工程（６）を行い、金属のみを加熱急冷却したのでは得られない色彩模様１２ａ〜１２ｒを形成してなる装飾金具１３ａ〜１３ｒを得て、一組の装飾金具１４を形成している点にある。
こうして形成した色彩模様は、長年にわたりその色彩を変化させることがないものである。
図３においては装飾金具１２ｑ、１２ｒ以外の装飾金具は図示せず省略している。
【００１６】
焦付性模様形成部材は布製部材、布形成部材、紙製部材、紙形成材、木の葉部材、草部材などやこれらの綿状部材、繊維状部材、チップ状部材、粉状部材などがある。焦付性模様形成部材の接触方法は、薄いメッシュ状部材、シート部材を上から掛けて焦げ付せる、チップ片状や粉状にしたものを上方から振るい掛けて焦げ付かせる、綿状のものを拭くように接触させたり押し付けたりして焦げ付かせるなど多様なやり方があり、イメージする色彩模様を実現する焦げ付せ条件で処理することにより、イメージに類似する色彩模様を形成することが可能である。
【００１７】
図４に示す本発明の第３の実施の形態において前記第１の実施の形態と主に異なる点は、燃焼物等付着工程（１１）の後に金属製箔線部材からなる無機物製模様形成部材１８を高温状態の処理前金具４ａ〜４ｒに接触させて、溶融状態にして処理前金具４ａ〜４ｒ表面に付着させ無機物付着工程（１９）を行って急冷却工程（６）を行い、金属的光沢や色彩模様を備えた色彩模様２０ａ〜２０ｒを形成してなる装飾金具２１ａ〜２１ｒ得て、一組の装飾金具２２を形成している点にある。
無機物製模様形成部材は、やガラス製部材などからなる無機物箔部材、金属製部材やガラス製部材などからなる無機物極細部材、金属製部材やガラス製部材などからなる無機物微粉末部材などがある。
古色を形成する等のために金属箔を付着させる折は、急冷して模様形成後にニカワの水溶液を塗布し、それを加熱してニカワがあわ立ってきたら金属箔を擦りつけて付着させ、そのまま自然急冷却あるいは急冷却する。
図４においては装飾金具２１ｑ、２１ｒ以外の装飾金具は図示せず省略している。
【００１８】
図５に示す本発明の第４の実施の形態において前記第１の実施の形態と主に異なる点は、一枚の金属製板部材からなる非装飾形態部材２５を加熱工程（５）で高温に過熱し、ドライアイス剤を冷媒とする急冷却工程（２６）で急冷却して、非装飾形態部材２５の表面に色彩模様２７を形成し、打ち抜き工程（２８）で色彩模様２９ａ〜２９ｈを有する所定の形態の装飾金具３０ａ〜３０ｈを打ち抜き形成して得た、一組の装飾金具３１を形成している点にある。
このようにすることにより、例えば、もっとも類似する色彩模様の部位を選んでより統一感のある一組の装飾金具を形成するなどのことができる。
【００１９】
非装飾形態部材は、一枚からいくつもの装飾金具を得るもの、ひとつの装飾金具を得るものなどいろいろある。
急冷却がドライアイス剤により行うことにより、金属を水や氷水で急冷却したのみでは得られない色彩模様の装飾金具および一組の装飾金具を形成でき、新聞紙、ティッシュペーパー、トイレットペーパーなどでドライアイスを包み、これに高温状態の装飾金具や、材料を押し付ける方法、ドライアイス粒の中に一瞬押し込んだり、表面をドライアイスに一瞬接触させたりして、さらに氷水で急冷却する、水滴や雪・粉砕氷・削氷や粉砕ドライアイス・削りドライアイスを高温金属部材に散らして模様・柄を形成したり、冷水を含ませた布状部材や綿状部材などで全部をあるいは一部を急冷する方法など多様なやり方がある。
表面が鏡面形態の銅板を次のような条件で処理すると以下のようになった。
７５０度Ｃに加熱し１６度Ｃに急冷却する操作を２度行うと、銅板表面はもやのかかったようなピンク肌色となる。
８００度Ｃに加熱してドライアイスを入れた１９度Ｃのに３秒ほど漬けて急冷却すると、銅板表面は赤色から赤紫色となる。
燃焼するコークス粒の上に鏡面仕上げの銅板を直接置き４００度Ｃ程度に加熱し１８度Ｃの水で急冷却すると金色の地肌に濃い青から紫色の斑点模様を有する形態が形成される。
【００２０】
図６に示す本発明の第５の実施の形態において前記第１の実施の形態と主に異なる点は、多数の凸部３３を塑性変形により設けてなる金属製板部材からなる非装飾形態部材３４ａ〜３４ｈを加熱工程（５）により高温状態にし、急冷却工程（６）で急冷却してそれぞれの表面に色彩模様を形成し、打ち抜き工程（３５）により非装飾形態部材３４ａ〜３４ｈから色彩模様３６ａ〜３６ｈを有する装飾金具３７ａ〜３７ｈを打ち抜き形成して得た、一組の装飾金具３８を形成している点にある。
このように多数の凸部を塑性変形により設けた場合、平らな装飾金具や金属板を水や氷水で急冷却したのみでは得られない、例えば銅製部材の場合においてはピンク、紫、赤茶、褐色等の淡く柔らかい色彩を有する装飾金具および一組の装飾金具を得ることができる。
例えば、釘状部材などの鋭利なもので突き形成したような多数の凸部を塑性変形により形成するのであるが、その凸部の大きさや密集状態および加熱条件や急冷却条件により、イメージする淡さ、柔らかさ、穏やかさのある色彩を得ることができる。
【００２１】
図７に示す本発明の第６の実施の形態において前記第１の実施の形態と主に異なる点は、鏡面仕上げした銅板４０、４１、４２を３枚重ねにしてコークス火で加熱し、重ねたままあるいは分けて同時に急冷却した点にある。
このようにして形成した一組の装飾金具群４３を構成する装飾金具４４、４５、４６は、それぞれ略中央に他の部位とは相違しそれぞれが似てはいるがそういする斑模様ともいうような部分模様４７、４８、４９が形成される。
【００２２】
図８に示す本発明の第７の実施の形態において前記第１の実施の形態と主に異なる点は、鏡面仕上げした銅板５１に適宜に金属片や金属粒や石などの他の無機物などの部分模様形成補助部材５２ａ、５２ｂを載せ、この状態で加熱し、部分模様形成補助部材５２ａ、５２ｂを除いてドライアイス塊５５を直接当て急冷却して部分模様５３、５４を形成した点にある。
このような部分模様の形成は全体の色彩模様にも多大な影響をあたえる。
部分模様形成補助材を載せたまま急冷却するのもよい。このようにすることにより、取り除いて急冷却したとは相違する色彩模様が形成される。５６は木台。
【００２３】
図９に示す本発明の第８の実施の形態において前記第１の実施の形態と主に異なる点は、金属部材５７の表面にボンド（登録商標）や糊部材などの付着補助部材５８により文字、絵柄などの模様５９などを描き、模様５９に粉を含む金属粒、他の無機物粒、有機物粒などの模様形成補助部材６０を付着させ、加熱し、急冷却して色彩模様６１を形成した点にある。
事前に付着補助部材に模様形成補助部材を混合させてた模様形成補助部材入付着補助部材を形成し、それで模様を描きそのまま加熱し急冷却するのもよいし、模様形成補助部材入付着補助部材で描いた模様に同じあるいは他の模様形成補助部材をさらに付着させておこなうのもよい。
また、模様形成補助部材を模様ごとに変えて行うのもよい。
【００２４】
【発明の効果】
以上の説明から明らかなように、本発明にあっては次に列挙する効果が得られる。
【００２５】
（１）意匠形態に形成されたあるいは意匠形態に形成される意匠形態金属製部材本体と、この意匠形態を金属製部材本体を高温状態にして急冷却することにより該意匠形態金属製部材本体の表面に形成された色彩模様とからなる意匠形態金属製部材であるので、一つ一つが色彩模様の相違する個性とオリジナリティーがあり且つ深みのある表情を有するものにできるという効果を得ることができる。
すなわち、同じ意匠形態の金属製部材あるいはそれを有する意匠部材であっても、相違する表情を有し看者に相違する美感を感じさせるものであるので、二つの無い個性的なもの、個性的な部分を有するものを購入したという満足感を与えることができるという効果を得ることができる。
薬品よる模様形成や色彩形成でなく、加熱と急冷却という工程で形成されるものであるので、製造作業工程において有毒なガス等の発生がなく無害で安全なものにできるという効果を得ることができる。
【００２６】
（２）請求項２記載の発明は前記（１）記載の発明の効果と同じ様な効果を得るとともに、金属板や金属粒や接触部分と非接触部分を有する金属体や他の部材などの模様形成部材を載せた部分の加熱温度が低くなったりして急冷却した場合にその部分が、他の部位とは色彩が相違する模様を形成するので、より意匠的に面白い変化に富んだ色彩模様を有する意匠形態金属性部材を実現するという効果を得ることができる。
特に、同じような類似色彩模様を形成するのに便利であって、この方法の場合は、別々に急冷却したのでも、同じ様な模様形態のものを形成できるのいう効果を得ることができる。
（３）請求項３記載の発明は前記（１）、（２）記載の発明の効果と同様な効果を得るとともに、糊製部材で描いた部位に該糊製部材に沿った形態の他の部位とは相違する色彩模様が形成されるので、文字などの看者が読めるような文字などの色彩模様を有する意匠形態金属製部材を実現するという効果を得ることができる。
（４）請求項４記載の発明は前記（３）と同様な効果を得ることができる。
【００２７】
（５）請求項５記載の発明は、装飾金具本体、この装飾金具本体を高温状態にして急冷却することにより該装飾金具本体の表面に形成された色彩模様とからなる装飾金具と、額縁、仏壇、手摺、フェンス、建築物の室内、建築物の外部、家具、一組の家具などの個々の構造物用に形成されあるいは選ばれて該構造物に取付けられる、前記色彩模様が同一ではないが類似感あるいは何らかの統一感を形成してなる複数個の前記装飾金具とからなる一組の装飾金具であるので、個々の装飾金具の模様色彩はどれひとつとして同一ではないが、例えばナチュラルな類似性のある色彩模様を有する装飾金具による一組の装飾金具を得ており、より具体例でいえば、容易にわびさびの雰囲気、古風な使い込んだような質感を形成する一組の装飾金具を形成して、それを取付けた家具等に従来の同色の装飾金具では得られない、ナチュラル感、高級感、落ち着き感、安心感などや、色彩感や趣感などを与えることができるという効果を得ることができる。
また、同一の装飾金具および一組の装飾金具が一つとしてない、オリジナル性を感じさせ意識させるという効果、例えば同じ種類の家具を装飾金具の相違や好みにより選んだり、装飾金具にオリジナリティーがあることを強調して購入を勧める等の従来の家具には無い嗜好性を実現し、その色彩模様が古色であるなら和風を感じさせ、明るい多様な色彩模様からなるものでは洋風を感じさせるなど従来の装飾金具には無かった新鮮感を実現し、それらにより同じ家具でも表情の違うオリジナルティーのある奥深い個性的な表情を与えるという効果を得ることができる。
薬品よる模様形成や色彩形成でなく、加熱と急冷却という工程で形成されるものであるので、製造作業工程において有毒なガス等の発生がなく無害で安全なものにできるという効果を得ることができる。
【００２８】
（６）請求項６記載の発明は前記（５）と同様な効果を得ることができるとともに、一組の装飾金具を構成する装飾金具をいっぺんに略同一加熱条件で加熱して高温状態にするとともにいっぺんに略同一急冷却条件で急冷却することにより色彩模様に形成してなるものであるので、形態の相違する多様な装飾金具でも類似性を感じさせる模様色彩を形成した装飾金具として、同時に且つ容易に得ることができるという効果を得ることができる。
一組の装飾金具をいっぺんに加熱処理、急冷却処理するものであるので、製造工程での条件管理が大変に行い易いし且つ変更し易いという効果を得ることができる。
【００２９】
（７）請求項７記載の発明は前記（５）、（６）と同様な効果を得ることができるとともに、非装飾形態部材である材料状態の装飾金具とはならない部位に支持穴を設けるとかクリップで挟持するなどのことが行えるので、加熱工程、急冷却工程での支持が行い易いという効果を得ることができる。模様や色彩部分を選んで打ち抜き形成ができるので、取得数よりも多い材料を使用してより質の高い一組の装飾金具を得ることができるなどの効果を得ることができる。
【００３０】
（８）請求項８記載の発明は前記（５）ないし（７）記載の発明と同様な効果を得ることができるとともに、焦付性模様形成部材を接触させて高温により燃焼したり焦げて生成された燃焼物や焦物を付着させて、より色彩模様に富んだ色彩模様を有する一組の装飾金具を得るものであるので、例えば銅製部材本体の赤みを主体とする色彩模様のなかに黒色などの別の色の染み状の模様などが形成されたものにできるという効果を得ることができる。
【００３１】
（９）請求項９記載の発明は前記（５）ないし（８）記載の発明と同様な効果を得ることができるとともに、無機物製模様形成部材を接触させて前記高温により該無機物製模様形成部材を略溶融状態を含む付着可能状態にして表面に前記無機物製模様形成部材を付着させて、より色彩模様に富んだアクセント模様を有する一組の装飾金具を得ることができるという効果を得ることができる。
【００３２】
（１０）請求項１０記載の発明は前記（５）ないし（９）記載の発明と同様な効果を得ることができるとともに、急冷却がドライアイス剤による温度差の大きい急冷却を行うので、水や氷水での急冷却では得られない色彩模様や焦付きを得ることができるという効果を得ることができる。
【００３３】
（１１）請求項１１記載の発明は前記（５）ないし（１０）記載の発明と同様な効果を得ることができるとともに、装飾金具のそれぞれが加熱前に多数の凸部を塑性変形により設けてなるものであるので、こうした形態で加熱し急冷却することにより、銅板においては柔らかな感じのピンクや淡い赤色、すなわち少し曇感のある柔らかな色彩模様を有する一組の装飾金具を得ることができるという効果を得ることできる。
【００３４】
（１２）請求項１２記載の発明は前記（５）ないし（１１）記載の発明と同様な効果を得ることができるとともに、金属板や金属粒や接触部分と非接触部分を有する金属体や他の部材などの模様形成部材を載せた部分の加熱温度が低くなったりして急冷却した場合にその部分が、他の部位とは色彩が相違する模様を形成するので、より意匠的に面白い変化に富んだ色彩模様を実現するという効果をえることができる。
【００３５】
（１３）請求項１３記載の発明は前記（５）ないし（１２）記載の発明と同様な効果を得ることができるとともに、糊製部材で描いた部位に該糊製部材に沿った形態の他の部位とは相違する色彩模様が形成されるので、文字などの看者が読めるような文字などの色彩模様を実現するという効果を得ることができる。
【００３６】
（１４）請求項１４記載の発明は前記（１３）と同様な効果を得ることができる。
【００３７】
（１５）請求項１５記載の発明は前記（５）ないし（１４）記載の一組の装飾金具で装飾したオリジナリティーな美感を有する装飾金具付構造物を実現するという効果を得ることができる。
【図面の簡単な説明】
【図１】本発明の第１の実施の形態の正面図。
【図２】本発明の第１の実施の形態の一組の装飾金具の製造工程図。
【図３】本発明の第２の実施の形態の一組の装飾金具の製造工程図。
【図４】本発明の第３の実施の形態の一組の装飾金具の製造工程図。
【図５】本発明の第４の実施の形態の一組の装飾金具の製造工程図。
【図６】本発明の第５の実施の形態の一組の装飾金具の製造工程図。
【図７】本発明の第６の実施の形態の一組の装飾金具の製造工程図。
【図８】本発明の第７の実施の形態の装飾金具の製造工程図。
【図９】本発明の第８の実施の形態の装飾金具の製造工程図。
【符号の説明】
１：装飾金具付構造物、　　　　　２ａ〜２ｒ：装飾金具、
３：一組の装飾金具、　　　　　　４ａ〜４ｒ：処理前金具、
５：加熱工程、　　　　　　　　　６：急冷却工程、
７ａ〜７ｒ：色彩模様、　　　　　８：構造物本体、
９：焦付性模様形成部材、　　　　１０：燃焼物や焦物、
１１：燃焼物等付着工程、　　　　１２ａ〜１２ｒ：色彩模様、
１３ａ〜１３ｒ：装飾金具、　　　１４：一組の装飾金具、
１８：無機物製模様形成部材、　　１９：無機物付着工程、
２０ａ〜２０ｒ：色彩模様、　　　２１：装飾金具、
２２：一組の装飾金具、　　　　　２５：非装飾形態部材、
２６：急冷却工程、　　　　　　　２７：色彩模様、
２８：打ち抜き工程、　　　　　　２９ａ〜２９ｈ：色彩模様、
３０：３０ａ〜３０ｈ、　　　　　３１：一組の装飾金具、
３３：凸部、　　　　　　　　　　３４ａ〜３４ｈ：非装飾形態部材、
３５：打ち抜き工程、　　　　　　３６ａ〜３６ｈ：色彩模様、
３７ａ〜３７ｈ：装飾金具、　　　３８：一組の装飾金具
４０：銅板、　　　　　　　　　　４１：銅板、
４２：銅板、　　　　　　　　　　４３：一組の装飾金具群、
４４：装飾金具、　　　　　　　　４５：装飾金具、
４６：装飾金具、　　　　　　　　４７：部分模様、
４８：部分模様、　　　　　　　　４９：部分模様、
５１：銅板、
５２ａ、５２ｂ：部分模様形成補助部材、
５３：部分模様、　　　　　　　　５４：部分模様、
５５：ドライアイス塊、　　　　　５６：木台、
５７：金属部材、　　　　　　　　５８：付着補助部材、
５９：模様、　　　　　　　　　　６０：模様形成補助部材、
６１：色彩模様。
【図１】
2004122570.tif 000003
【図２】
2004122570.tif 000004
【図３】
2004122570.tif 000005
【図４】
2004122570.tif 000006
【図５】
2004122570.tif 000007
【図６】
2004122570.tif 000008
【図７】
2004122570.tif 000009
【図８】
2004122570.tif 000010
【図９】
2004122570.tif 000011